(57)【要約】【課題】外光反射による視認性の低下を抑制することが可能な有機電界発光装置を提供する。【解決手段】有機電界発光装置は、それぞれが、光反射性を有する第１電極の上に、有機電界発光層を含む有機層と、第２電極とをこの順に有すると共に、互いに異なる２以上の波長のいずれかを出射対象とする複数の画素と、第２電極の光出射側に設けられ、画素毎に第１開口を有するブラックマトリクス層とを備えたものである。ブラックマトリクス層は第１開口の内側に傾斜面を有し、傾斜面の傾斜角度は、画素の出射対象の波長に応じて設定されている。【選択図】図３
2015144087.tif 000002
【特許請求の範囲】
【請求項１】
それぞれが、光反射性を有する第１電極の上に、有機電界発光層を含む有機層と、第２電極とをこの順に有すると共に、互いに異なる２以上の波長のいずれかを出射対象とする複数の画素と、
前記第２電極の光出射側に設けられ、前記画素毎に第１開口を有するブラックマトリクス層と
を備え、
前記ブラックマトリクス層は前記第１開口の内側に傾斜面を有し、
前記傾斜面の傾斜角度は、前記画素の出射対象の波長に応じて設定されている
有機電界発光装置。
【請求項２】
前記傾斜面の傾斜角度は、より短波長を出射対象とする画素においてより大きくなるように設定されている
請求項１に記載の有機電界発光装置。
【請求項３】
前記第１電極における反射率分布が、前記画素の出射対象の波長に応じて設定されている
請求項１に記載の有機電界発光装置。
【請求項４】
前記複数の画素は、第１基板と第２基板間に封止され、前記第２基板との間に樹脂層を有し、
前記樹脂層における透過率分布が、前記画素の出射対象の波長に応じて設定されている
請求項１に記載の有機電界発光装置。
【請求項５】
それぞれが、前記ブラックマトリクス層の複数の第１開口のうちの選択的な第１開口に対応して形成された１または複数のカラーフィルタを更に備え、
前記カラーフィルタにおける透過率分布が、前記画素の出射対象の波長に応じて設定されている
請求項１に記載の有機電界発光装置。
【請求項６】
前記複数の画素のうち、より短波長を出射対象とする画素において、反射強度分布の画素端における強度変化がより緩やかになるように設定されている
請求項１に記載の有機電界発光装置。
【請求項７】
前記第１電極は前記画素毎に形成されており、
複数の前記第１電極のそれぞれに対向して第２開口を有する絶縁膜を更に備え、
前記第１電極の大きさは、前記第２開口の大きさと同等以下である
請求項１に記載の有機電界発光装置。
【請求項８】
前記第１電極は前記画素毎に形成されており、
複数の前記第１電極のそれぞれに対向して第２開口を有する絶縁膜を更に備え、
前記第２開口の側面にリフレクタ構造を有する
請求項１に記載の有機電界発光装置。
【請求項９】
各第１電極は、離散配置された複数のサブ電極からなる
請求項８に記載の有機電界発光装置。
【請求項１０】
前記第１電極は前記画素毎に形成されており、
各第１電極の面形状は円形状である
請求項１に記載の有機電界発光装置。
【請求項１１】
前記複数の画素は、赤色光、緑色光および青色光のいずれかを出射対象とする画素を含む
請求項１に記載の有機電界発光装置。
【請求項１２】
前記複数の画素は、更に白色光を出射対象とする画素を含む
請求項１１に記載の有機電界発光装置。
【請求項１３】
それぞれが、光反射性を有する第１電極の上に、有機電界発光層を含む有機層と、第２電極とをこの順に有すると共に、互いに異なる２以上の波長のいずれかを出射対象とする複数の画素を備え、
前記複数の画素はそれぞれ、複数の発光領域に分割され、
前記複数の発光領域の形成パターンは、前記画素の出射対象の波長に応じた周期性を有する
有機電界発光装置。
【請求項１４】
前記第１電極は前記画素毎に形成されており、
各第１電極は、離散配置された複数のサブ電極からなり、
前記画素毎に、前記複数のサブ電極の形成パターンに応じて前記複数の発光領域が形成されている
請求項１３に記載の有機電界発光装置。
【請求項１５】
前記複数のサブ電極の配列ピッチは、より短波長を出射対象とする画素において、より小さくなるように設定されている
請求項１４に記載の有機電界発光装置。
【請求項１６】
前記第１電極は前記画素毎に形成されており、
複数の前記第１電極のそれぞれに対向して第２開口を有する絶縁膜を更に備え、
前記第１電極の大きさは、前記第２開口の大きさと同等以下である
請求項１３に記載の有機電界発光装置。
【請求項１７】
前記第１電極は前記画素毎に形成されており、
複数の前記第１電極のそれぞれに対向して第２開口を有する絶縁膜を更に備え、
前記第２開口の側面にリフレクタ構造を有する
請求項１３に記載の有機電界発光装置。
【請求項１８】
それぞれが、光反射性を有すると共に画素毎に形成される第１電極の上に、有機電界発光層を含む有機層と、第２電極とをこの順に有すると共に、互いに異なる２以上の波長のいずれかを出射対象とする複数の画素を備え、
前記第１電極の面形状は円形状である
有機電界発光装置。
【請求項１９】
複数の前記第１電極のそれぞれに対向して第２開口を有する絶縁膜を更に備え、
前記第２開口の開口形状が円形状である
請求項１８に記載の有機電界発光装置。
【請求項２０】
それぞれが、光反射性を有する第１電極の上に、有機電界発光層を含む有機層と、第２電極とをこの順に有すると共に、互いに異なる２以上の波長のいずれかを出射対象とする複数の画素と、
前記第２電極の光出射側に設けられ、前記画素毎に第１開口を有するブラックマトリクス層と
を備え、
前記ブラックマトリクス層は前記第１開口の内側に傾斜面を有し、
前記傾斜面の傾斜角度は、前記画素の出射対象の波長に応じて設定されている
有機電界発光装置を備えた電子機器。
【発明の詳細な説明】
【技術分野】
【０００１】
本開示は、有機電界発光（ＥＬ；Electro Luminescence）現象を利用して発光する有機電界発光装置およびそれを用いた電子機器に関する。
【背景技術】
【０００２】
有機電界発光素子は、下部電極と上部電極との間に、有機電界発光層を含む有機層を有しており、低電圧の直流駆動による高輝度発光が可能な発光素子として注目されている。
【０００３】
この有機ＥＬ素子を用いたアクティブマトリクス型の発光装置（有機電界発光装置）では、いわゆるアノードリフレクタを採用して光取り出し効率の向上を図る技術が提案されている（例えば、特許文献１）。
【先行技術文献】
【特許文献】
【０００４】
【特許文献１】特開２０１３−１９１５３３号公報
【発明の概要】
【発明が解決しようとする課題】
【０００５】
上記のような有機電界発光装置は、強い外光に照らされる状況下において使用される場合があり、そのような状況下においても良好な視認性を保つことが望ましい。
【０００６】
本開示はかかる問題点に鑑みてなされたもので、その目的は、外光反射による視認性の低下を抑制することが可能な有機電界発光装置および電子機器を提供することにある。
【課題を解決するための手段】
【０００７】
本開示の第１の有機電界発光装置は、それぞれが、光反射性を有する第１電極の上に、有機電界発光層を含む有機層と、第２電極とをこの順に有すると共に、互いに異なる２以上の波長のいずれかを出射対象とする複数の画素と、第２電極の光出射側に設けられ、画素毎に第１開口を有するブラックマトリクス層とを備えたものである。ブラックマトリクス層は第１開口の内側に傾斜面を有し、傾斜面の傾斜角度は、画素の出射対象の波長に応じて設定されている。
【０００８】
本開示の電子機器は、上記本開示の第１の有機電界発光装置を備えたものである。
【０００９】
本開示の第１の有機電界発光装置および電子機器では、ブラックマトリクス層が第１開口の内側に傾斜面を有し、その傾斜角度が画素の出射対象の波長に応じて設定されている。これにより、画素毎に反射強度分布に差を持たせることができる。外光に含まれる各波長の回折パターンの違いから、外光反射によって虹状の色つきが視認されることがあるが、画素毎に（波長毎に）反射強度分布に差を持たせることで、そのような色つきが目立たなくなる。
【００１０】
本開示の第２の有機電界発光装置は、それぞれが、光反射性を有する第１電極の上に、有機電界発光層を含む有機層と、第２電極とをこの順に有すると共に、互いに異なる２以上の波長のいずれかを出射対象とする複数の画素を備えたものである。複数の画素はそれぞれ、複数の発光領域に分割され、複数の発光領域の形成パターンは、画素の出射対象の波長に応じた周期性を有している。
【００１１】
本開示の第２の有機電界発光装置では、各画素が複数の発光領域に分割され、この複数の発光領域の形成パターンが、画素の出射対象の波長に応じた周期性を有する。外光に含まれる各波長の回折パターンの違いから、外光反射によって虹状の色つきが視認されることがあるが、各画素の発光領域の形成パターンが波長に応じた周期性を持つことで、そのような色つきが目立たなくなる。
【００１２】
本開示の第３の有機電界発光装置は、それぞれが、光反射性を有すると共に画素毎に形成される第１電極の上に、有機電界発光層を含む有機層と、第２電極とをこの順に有すると共に、互いに異なる２以上の波長のいずれかを出射対象とする複数の画素を備え、第１電極の面形状が円形状であるものである。
【００１３】
本開示の第３の有機電界発光装置では、画素毎に形成された第１電極の面形状が円形状であることにより、矩形状である場合に比べ、外光の反射方向が偏りにくい（全方位に向けて分散して反射され易い）。外光に含まれる各波長の回折パターンの違いから、外光反射によって虹状の色つきが視認されることがあるが、円形状により反射方向を分散させることで、そのような色つきが目立たなくなる。
【発明の効果】
【００１４】
本開示の第１の有機電界発光装置および電子機器によれば、ブラックマトリクス層が第１開口の内側に傾斜面を有し、その傾斜角度が画素の出射対象の波長に応じて設定されることで、外光反射に起因する虹状の色つきを目立たなくすることができる。よって、外光反射による視認性の低下を抑制することが可能となる。
【００１５】
本開示の第２の有機電界発光装置によれば、各画素が複数の発光領域に分割され、この複数の発光領域の形成パターンが、画素の出射対象の波長に応じた周期性を有するようにしたので、外光反射に起因する虹状の色つきを目立たなくすることができる。よって、外光反射による視認性の低下を抑制することが可能となる。
【００１６】
本開示の第３の有機電界発光装置によれば、画素毎に形成された第１電極の面形状が円形状であることにより、外光反射に起因する虹状の色つきを目立たなくすることができる。よって、外光反射による視認性の低下を抑制することが可能となる。
【００１７】
なお、上記内容は本開示の一例である。本開示の効果は、上述したものに限らず、他の異なる効果であってもよいし、更に他の効果を含んでいてもよい。
【図面の簡単な説明】
【００１８】
【図１】本開示の第１の実施の形態に係る有機電界発光装置の全体構成を表す機能ブロック図である。
【図２】図１に示した画素回路の一例を表す回路図である。
【図３】図１に示した有機電界発光装置の構成を表す断面図である。
【図４】外光反射の有無による視認性の違いを説明するための模式図である。
【図５】外光反射に起因する虹状の色つきを説明するための模式図である。
【図６】比較例１に係る有機電界発光装置の構成を表す断面図である。
【図７】比較例１の光照射シミュレーション結果を示す図である。
【図８】実施例１の光照射シミュレーション結果を示す図である。
【図９】本開示の第２の実施の形態に係る有機電界発光装置の構成を表す断面図である。
【図１０】図９に示した第１電極の構成を表す平面模式図である。
【図１１】比較例２に係る第１電極の構成を表す平面模式図である。
【図１２】比較例２の光照射シミュレーション結果を示す図である。
【図１３】実施例２の光照射シミュレーション結果を示す図である。
【図１４】（Ａ）は比較例３に係る有機ＥＬ素子を、（Ｂ）は変形例１に係る有機ＥＬ素子をそれぞれ表す断面図および平面図である。
【図１５】実施例３および比較例３の反射率を示す特性図である。
【図１６】変形例２に係る有機ＥＬ素子の構成を表す断面図である。
【図１７】図１６に示した有機ＥＬ素子の作用を説明するための模式図である。
【図１８】実施例４および比較例４の外部量子効率を示す特性図である。
【図１９】変形例３に係る有機電界発光装置の構成を表す断面図である。
【図２０】実施例５の光照射シミュレーション結果を示す図である。
【図２１Ａ】矩形状の第１電極を表す平面図である。
【図２１Ｂ】変形例４に係る第１電極の面形状を表す図である。
【図２２】比較例６の光照射シミュレーション結果を示す図である。
【図２３】実施例６の光照射シミュレーション結果を示す図である。
【図２４】変形例５に係る有機ＥＬ素子の構成を表す断面図である。
【図２５】変形例６に係る開口と第１電極の面形状を表す平面模式図である。
【図２６】他の変形例に係る素子構造を表す断面図である。
【図２７Ａ】適用例１の外観を表す斜視図である。
【図２７Ｂ】適用例１の外観を表す斜視図である。
【図２８】適用例２の外観を表す斜視図である。
【図２９Ａ】適用例３の外観を表す斜視図である。
【図２９Ｂ】適用例３の外観を表す斜視図である。
【発明を実施するための形態】
【００１９】
以下、本開示の実施の形態について図面を参照して以下の順に詳細に説明する。
１．第１の実施の形態（ブラックマトリクス層の開口が所定の傾斜面を有する有機電界発光装置の例）
２．第２の実施の形態（１画素の発光開口が細分化され、そのパターンが所定の周期性を持つ有機電界発光装置の例）
３．変形例１（第１電極のサイズを発光開口と同等以下とする場合の例）
４．変形例２（リフレクタ構造を付加した場合の例）
５．変形例３（他のリフレクタ構造の例）
６．変形例４（第１電極の面形状が円形状である場合の例）
７．変形例５（他のリフレクタ構造の例）
８．変形例６（絶縁膜の開口形状が円形状、第１電極の面形状が矩形状である場合の例）
９．適用例（電子機器の例）
【００２０】
＜第１の実施の形態＞
［構成］
図１は、本開示の第１の実施の形態に係る有機電界発光装置（有機電界発光装置１）の全体構成を表すものである。この有機電界発光装置１は、有機ＥＬテレビジョン装置などとして用いられるものであり、例えば、駆動基板１１の表示領域１１０Ａには、後述の有機ＥＬ素子（有機ＥＬ素子１０）を含む画素１０Ｒ，１０Ｇ，１０Ｂがマトリクス状に２次元配置されている。表示領域１１０Ａの周辺には、映像表示用のドライバである信号線駆動回路１２０および走査線駆動回路１３０が設けられている。なお、駆動基板１１において、画素は、互いに直交するＸ方向（例えば表示画面の水平方向）およびＹ方向（例えば表示画面の垂直方向）の２方向に沿って配列されている。
【００２１】
表示領域１１０Ａには、画素１０Ｒ，１０Ｇ，１０Ｂを構成する有機ＥＬ素子１０を含む画素回路１４０が設けられている。図２は、画素回路１４０の一例を表したものである。画素回路１４０は、例えばアクティブ型の回路であり、例えば駆動トランジスタＴｒ１と、書き込みトランジスタＴｒ２と、キャパシタ（保持容量）Ｃｓと、画素１０Ｒ（または画素１０Ｇ，画素１０Ｂ）と、有機ＥＬ素子１０とを有する。有機ＥＬ素子１０は、第１の電源ライン（Ｖｃｃ）と第２の電源ライン（ＧＮＤ）との間において駆動トランジスタＴｒ１に直列に接続されている。駆動トランジスタＴｒ１および書き込みトランジスタＴｒ２は、一般的な薄膜トランジスタ（ＴＦＴ（Thin Film Transistor））であり、例えば逆スタガ構造（いわゆるボトムゲート型）またはスタガ構造（トップゲート型）を有している。
【００２２】
画素回路１４０において、列方向には信号線１２０Ａが複数配置され、行方向には走査線１３０Ａが複数配置されている。各信号線１２０Ａと各走査線１３０Ａとの交差点が、画素１０Ｒ，１０Ｇ，１０Ｂのいずれか１つ（サブピクセル）に対応している。各信号線１２０Ａは、信号線駆動回路１２０に接続され、この信号線駆動回路１２０から信号線１２０Ａを介して書き込みトランジスタＴｒ２のソース電極に画像信号が供給されるようになっている。各走査線１３０Ａは走査線駆動回路１３０に接続され、この走査線駆動回路１３０から走査線１３０Ａを介して書き込みトランジスタＴｒ２のゲート電極に走査信号が順次供給されるようになっている。
【００２３】
画素１０Ｒは、例えば６００ｎｍ付近にスペクトルピークを有する赤色（Ｒ）光を出射する画素である（出射対象の波長が赤色光である）。画素１０Ｇは、例えば５３０ｎｍ付近にスペクトルピークを有する緑色（Ｇ）光を出射する画素である（出射対象の波長が緑色光である）。画素１０Ｂは、例えば４５０ｎｍ付近にスペクトルピークを有する青色（Ｂ）光を出射する画素である（出射対象の波長が青色光である）。隣り合う３つの画素１０Ｒ，１０Ｇ，１０Ｂ（３つのサブピクセル）が１つのピクセルを構成している。なお、ここでは、Ｒ，Ｇ，Ｂの３つの画素を例示するが、これらの画素の他にも、例えば白色（Ｗ）あるいは黄色（Ｙ）の各色光を出射する画素を更に含み、４つの画素の組を１ピクセルとした構成であってもよい。これらの画素１０Ｒ，１０Ｇ，１０Ｂのサイズは、特に限定されないが、例えば５０μｍである。
【００２４】
図３は有機電界発光装置１の断面構成を表したものである。なお、図３では、３つの画素１０Ｒ，１０Ｇ，１０Ｂに対応する領域のみを図示している。この有機電界発光装置１では、例えばトップエミッション方式（上面発光方式）により光取り出しがなされ、例えば駆動基板１１の上に、画素１０Ｒ，１０Ｇ，１０Ｂのそれぞれに（画素毎に）有機ＥＬ素子１０が形成されている。有機ＥＬ素子１０は、駆動基板１１の側から順に、第１電極１２と、有機層１４と、第２電極１５とを有するものである。第１電極１２は、画素毎に設けられており、この第１電極１２上には全画素にわたって画素間絶縁膜１３が形成されている。画素間絶縁膜１３は、第１電極１２に対向して開口Ｈ２（第２開口）を有している。この開口Ｈ２内において、第１電極１２上に有機層１４が形成されている。第２電極１５は、例えば、これらの画素間絶縁膜１３と有機層１４とを覆うように、全画素にわたって形成されている。
【００２５】
第２電極１５上には、保護膜１６と封止用樹脂層１７とを介して、封止用基板２０が貼り合わせられている。封止用基板２０の一面（有機ＥＬ素子１０に対向する面）には、カラーフィルタ層１９と、ブラックマトリクス層１８とが形成されている。
【００２６】
駆動基板１１は、例えばガラスからなる基板上に、ＴＦＴおよび配線層が形成されたものである。基板としては、ガラスに限定されず、石英や金属箔、樹脂製のフィルムなどが用いられてもよい。
【００２７】
第１電極１２は、光反射性を有する反射電極である。第１電極１２は、アノードとして機能する場合には、例えばアルミニウム（Ａｌ），白金（Ｐｔ），金（Ａｕ），銀（Ａｇ），クロム（Ｃｒ），タングステン（Ｗ），ニッケル（Ｎｉ），銅（Ｃｕ），鉄（Ｆｅ），コバルト（Ｃｏ），タンタル（Ｔａ）などの金属の単体あるいはそのような金属の合金から構成されることが望ましい。合金としては、例えば、銀を主成分とし、０．３重量％〜１重量％のパラジウム（Ｐｄ）と、０．３重量％〜１重量％の銅とを含むＡｇ−Ｐｄ−Ｃｕ合金、あるいはＡｌ−Ｎｄ合金を挙げることができる。あるいは、第１電極１２は、上記のような金属元素の単体または合金よりなる金属膜と、ＩＴＯ等の透明導電膜との積層膜であってもよい。第１電極１２は、正孔注入性の高い材料により構成されていることが望ましいが、そうでない材料（アルミニウム（Ａｌ）あるいはアルミニウムを含む合金等）であっても、適切な正孔注入層を設けることによってアノードとして使用することができる。透明導電膜としては、例えばインジウムとスズの酸化物（ＩＴＯ）、ＩｎＺｎＯ（インジウ亜鉛オキシド）、および酸化亜鉛（ＺｎＯ）とアルミニウム（Ａｌ）との合金などが挙げられる。この第１電極１２の厚みは、例えば２００ｎｍである。
【００２８】
画素間絶縁膜１３は、画素開口（発光領域，発光開口）を定義（区画）すると共に、第１電極１２同士を電気的に分離するためのものである。この画素間絶縁膜１３は、例えばアクリル樹脂あるいはポリイミドなどの樹脂から構成されている。
【００２９】
有機層１４は、電界をかけることにより電子と正孔との再結合が起こり、色光を発生する有機電界発光層を含むものである。ここでは、有機ＥＬ素子１０は白色発光素子であり、各有機ＥＬ素子１０から発せられた白色光がカラーフィルタ層１９を通過することにより、Ｒ，Ｇ，Ｂの各色光に分離されて出射する。有機層１４は、例えば白色光を発生する白色発光層を含み、本実施の形態のように画素１０Ｒ，１０Ｇ，１０Ｂのそれぞれに（画素毎に）形成されていてもよいし、全画素にわたって形成されていてもよい。白色発光層は、例えば赤色発光層、緑色発光層および青色発光層を積層した構造、あるいは青色発光層と黄色発光層とを積層した構造を有している。但し、有機層１４の構成はこれに限定されず、画素毎に発光層が塗り分けられていてもよい。具体的には、画素１０Ｒでは、有機層１４が赤色発光層を含み、画素１０Ｇでは、有機層１４が緑色発光層を含み、画素１０Ｂでは、有機層１４が青色発光層を含む構成であってもよい。また、有機層１４は、有機電界発光層の他にも、例えば正孔注入層、正孔輸送層および電子輸送層を含んでいてもよい。また、有機層１４と第２電極１５との間に、電子注入層等が形成されていてもよい。この有機層１４の厚みは、例えば２５０ｎｍ程度である。
【００３０】
第２電極１５は、適度な仕事関数をもつと共に、光透過性を有する導電性材料、例えばＩＴＯ（酸化インジウム錫）あるいはＩＺＯ（酸化インジウム亜鉛）などの透明導電膜から構成されている。また、第２電極１８の構成材料としては、この他にも、マグネシウムと銀との合金（ＭｇＡｇ合金）が挙げられる。この第２電極１５の厚みは、例えば２００ｎｍ程度である。
【００３１】
保護膜１６は、例えば窒化シリコン（ＳｉＮ）から構成され、厚みは例えば１．５μｍ程度である。封止用樹脂層１７は、例えばエポキシ樹脂などから構成され、厚みは例えば４μｍ程度である。
【００３２】
ブラックマトリクス層１８は、第２電極１５の光出射側に、全画素にわたって形成されている。このブラックマトリクス層１８は、画素毎に開口Ｈ１（第１開口）を有している。換言すると、画素間の領域に沿って形成されており、全体として例えば格子状を成している。ブラックマトリクス層１８は、例えば樹脂あるいは金属などからなる。このブラックマトリクス層１８の詳細構成については後述する。
【００３３】
カラーフィルタ層１９は、ブラックマトリクス層１８の光出射側の面ｔ２に隣接して設けられている。カラーフィルタ層１９は、ブラックマトリクス層１８の開口Ｈ１に対向して、赤色フィルタ層１９Ｒ，緑色フィルタ層１９Ｇ，青色フィルタ層１９Ｂのいずれかを有する。画素１０Ｒの開口Ｈ１に対向して赤色フィルタ層１９Ｒが、画素１０Ｇの開口Ｈ１に対向して緑色フィルタ層１９Ｇが、画素１０Ｂの開口Ｈ１に対向して青色フィルタ層１９Ｂが、それぞれ形成されている。赤色フィルタ層１９Ｒは、赤色光を透過させ、その他の波長を吸収する顔料を含む。緑色フィルタ層１９Ｇは、緑色光を透過させ、その他の波長を吸収する顔料を含む。青色フィルタ層１９Ｂは、青色光を透過させ、その他の波長を吸収する顔料を含む。
【００３４】
封止用基板２０は、画素１０Ｒ，１０Ｇ，１０Ｂで発生した光に対して透明なガラスなどの材料により構成されている。
【００３５】
（ブラックマトリクス層１８の詳細構成）
本実施の形態では、このブラックマトリクス層１８が、開口Ｈ１の内側に傾斜面（傾斜面Ｓ１〜Ｓ３）を有している。換言すると、開口Ｈ１の縁部分が傾斜している。あるいは、ブラックマトリクス層１８の表示画面に直交する面における断面形状は、テーパを有している。これらの傾斜面Ｓ１〜Ｓ３は、ブラックマトリクス層１８の有機ＥＬ素子１０側の面ｔ１から光出射側（外光入射側）の面ｔ２に向かって開口Ｈ１が狭まる方向に傾斜している。なお、このような傾斜面Ｓ１〜Ｓ３の形成手法としては、特に限定されないが、例えば、次のようにして形成することができる。即ち、ブラックマトリクス層１８をパターニングして開口Ｈ１を形成する際に、フォトレジストに、傾斜面Ｓ１〜Ｓ３と同様の傾斜面（テーパ）のパターンを形成し、エッチングすることにより、フォトレジストのパターンをブラックマトリクス層１８に転写することができる。
【００３６】
傾斜面Ｓ１〜Ｓ３の傾斜角度（傾斜角θ１〜θ３）は、画素１０Ｒ，１０Ｇ，１０Ｂから出射する色光の波長（画素１０Ｒ，１０Ｇ，１０Ｂの出射対象の波長）に応じて設定されている。換言すると、傾斜角θ１〜θ３は、カラーフィルタ層１９の画素毎の透過波長に応じて、設定されている。具体的には、傾斜角θ１〜θ３は、より短波長を出射対象とする画素において、より大きくなるように設定される。これにより、より短波長を出射対象とする画素において、反射強度分布の画素端における強度変化がより緩やかになる。本実施の形態のように、Ｒ，Ｇ，Ｂの３画素構成の場合には、青色光が最も短波長であり、緑色光、赤色光の順に波長が長くなることから、θ１≦θ２≦θ３の関係を満たすように、傾斜角θ１〜θ３がそれぞれ設定される。傾斜角θ１〜θ３の大きさに応じて反射強度分布が形成され、画素１０Ｒ，１０Ｇ，１０Ｂのそれぞれの反射強度分布に差を持たせることができる。詳細には、画素１０Ｒ，１０Ｇ，１０Ｂのそれぞれにおける反射強度は、画素中心付近にピークを有し、画素端に向かって減少する分布を有するが、この反射強度分布の画素端における強度変化（プロファイルの形状）が異なっている。ここでは、赤色光を出射対象とする画素１０Ｒの反射強度分布における画素端の強度変化は急峻である（画素端において急激に強度が減少する）が、緑色光を出射対象とする画素１０Ｇの反射強度分布における画素端の強度変化は、画素１０Ｒのものよりも緩やかとなる。最も短波長である青色光を出射対象とする画素１０Ｂの反射強度分布における画素端の強度変化は、画素１０Ｇのものよりも更に緩やかとなる。
【００３７】
これらの傾斜角θ１〜θ３は、全てが０°以上である必要はなく、少なくとも１つが０°より大きく設定されていればよい（０°に設定されたものを含んでいてもよい）。例えば、図３の例では、最も長波長である赤色光を出射対象とする画素１０Ｒでは傾斜角θ１＝０°となっている。画素１０Ｇ，１０Ｂでは、傾斜角θ２，θ３がそれぞれ０°より大きく、かつθ２＜θ３の関係を満たすように設定されている。この例では、緑色光，青色光の各反射強度分布が、赤色光の反射強度分布に倣うように、傾斜角θ１〜θ３が設定されている。但し、これに限定されず、画素１０Ｒにおいても、傾斜角θ１を０°より大きく設定しても構わない。また、最も短波長を出射対象とする画素１０Ｂにおける傾斜角θ３のみを０°より大きく設定し、画素１０Ｇ，１０Ｒでは、θ１＝θ２＝０°としてもよい。但し、本実施の形態のように、出射対象の波長に応じて、傾斜角θ１〜θ３がθ１＜θ２＜θ３の関係を満たすように設定されることが望ましい。
【００３８】
なお、本実施の形態では、ブラックマトリクス層１８の開口Ｈ１に所定の傾斜面Ｓ１〜Ｓ３を設けることで、画素毎の反射強度分布を形成したが、反射強度分布は、この他の手法によっても、形成することができる。例えば、封止用樹脂層１７の透過率、第１電極１２の反射率、あるいは、カラーフィルタ層１９（赤色フィルタ層１９Ｒ，緑色フィルタ層１９Ｇ，青色フィルタ層１９Ｂ）の透過率（吸収率）を、画素内において変化するように設計することで、反射強度分布を形成することができる。一例を挙げると、カラーフィルタ層１９における赤色フィルタ層１９Ｒ，緑色フィルタ層１９Ｇ，青色フィルタ層１９Ｂの各顔料濃度を画素端に近づくに従って大きくなるように調整し、その濃度変化の傾きがＢ，Ｇ，Ｒの順に小さくなる（緩やかになる）ようにする。あるいは、封止用樹脂層１７の透過率を画素端に近づくに従って小さくなるように調整し、その透過率変化の傾きがＢ，Ｇ，Ｒの順に小さくなる（緩やかになる）ようにすること等である。
【００３９】
このため、出射対象の波長に応じて、封止用樹脂層１７の透過率分布、第１電極１２の反射率分布、あるいはカラーフィルタ層１９の透過率分布を形成することで、画素毎に反射強度分布に差を持たせることができる。よって、傾斜面Ｓ１〜Ｓ３を設けた場合と同様の効果を得ることができる。また、これらの封止用樹脂層１７の透過率分布、第１電極１２の反射率分布、およびカラーフィルタ層１９の透過率分布のうちの少なくとも１つと、ブラックマトリクス層１９の傾斜角θ１〜θ３の設定とを併用して、上述したような反射強度分布を形成してもよい。
【００４０】
［作用，効果］
本実施の形態の有機電界発光装置１では、第１電極１２と第２電極１５とを介して有機層１４に駆動電流が供給されると、有機電界発光素子１０において発生した色光（例えば白色光）が、第２電極１５、保護膜１６、封止用樹脂層１７、カラーフィルタ層１９および封止用基板２０を透過して取り出され、画像表示がなされる。
【００４１】
この有機電界発光装置１は、強い外光に照らされた状況下において使用されることがある。図４および図５に、外光反射による視認性への影響について模式的に示す。上記のような有機ＥＬ素子１０を含む有機ＥＬパネル（有機ＥＬパネル２１０）が外光Ｌに照らされると、外光反射が無い場合（図４の左図）には、黒表示の部分Ｐ１が黒く見えるのに対し、外光反射が大きい場合（図４の右図）には、黒表示の部分Ｐ１の色が薄くなって（白っぽくなって）見える。このような外光反射による反射率を低減することも望まれている。
【００４２】
一方で、図５に示したように、有機ＥＬパネル２１０が外光Ｌに照らされた場合、外光に含まれる各波長（Ｌｒ，Ｌｇ，Ｌｂ）では回折パターンが異なることから、外光反射に起因して虹状の色つきが視認されることがある。また、このような色付きは、画素のオーダーが波長のオーダーに近づくことにより、即ち画素の高精細化によって、視認され易くなる。本実施の形態では、ブラックマトリクス層１８が開口Ｈ１の内側に傾斜面Ｓ１〜Ｓ３を有し、その傾斜角θ１〜θ３が、画素の出射対象の波長（Ｒ，Ｇ，Ｂ）に応じて設定されている。これにより、画素毎に（波長毎に）反射強度分布に差を持たせることができる。即ち、各波長間において回折パターンが揃う（ここでは赤色光の回折パターンに倣う）ように設計することができ、この結果、虹状の色つきが目立たなくなる。
【００４３】
図６に、本実施の形態の比較例（比較例１）に係る有機電界発光装置（有機電界発光装置１００）の断面構成について示す。有機電界発光装置１００は、本実施の形態と同様、駆動基板１０１上に、第１電極１０２、画素間絶縁膜１０３、有機層１０４、保護膜１０５、封止用樹脂層１０６、ブラックマトリクス層１０７、カラーフィルタ層１０８および封止用基板１０９を備えたものである。但し、ブラックマトリクス層１０７では、いずれの画素においても、開口Ｈ１００の内側の面が傾斜していない。
【００４４】
図７に、この比較例１の有機電界発光装置１００を含むパネルの中央部に向けて光（断面形状が円形の白色光）を照射したシミュレーション結果を示す。なお、図７の右図は、左図の中央部付近の一部を拡大したものである。この結果、比較例１では、パネル中央部から十字状に反射光が伸び、しかも虹状の色がついて見えることがわかる。
【００４５】
図８には、実施例１として、本実施の形態の有機電界発光装置１を含むパネルの中央部に向けて、上記比較例１と同様の白色光を照射したシミュレーション結果を示す。なお、図８の右図は、左図の中央部付近の一部を拡大したものである。このように、図８では、図７において見えていた色が消えて、白黒あるいはグレーの色になっており、虹状の色付きが軽減されていることがわかる。
【００４６】
以上のように本実施の形態では、ブラックマトリクス層１８が開口Ｈ１の内側に傾斜面Ｓ１〜Ｓ３を有し、その傾斜角θ１〜θ３が画素１０Ｒ，１０Ｇ，１０Ｂの出射対象の波長（Ｒ，Ｇ，Ｂ）に応じて設定される。これにより、外光反射に起因する虹状の色つきを目立たなくすることができる。よって、外光反射による視認性の低下を抑制することが可能となる。強い外光に照らされる状況下においても良好な視認性を保つことができる。
【００４７】
次に、上記第１の実施の形態の他の実施の形態および変形例について説明する。なお、上記第１の実施の形態と同様の構成要素については同一の符号を付し、適宜その説明を省略する。
【００４８】
＜第２の実施の形態＞
図９は、第２の実施の形態に係る有機電界発光装置（有機電界発光装置２）の断面構成を表したものである。この有機電界発光装置２は、第１の実施の形態と同様、例えば駆動基板１１上に、有機ＥＬ素子１０を含む複数の画素１０Ｒ，１０Ｇ，１０Ｂがマトリクス状に配置されたものである。また、有機ＥＬ素子１０は、画素毎に設けられた第１電極（第１電極１２Ａ，１２Ｂ，１２Ｃ）と、この第１電極１２Ａ（または第１電極１２Ｂ，１２Ｃ）に対向して開口Ｈ２を有する画素間絶縁膜１３と、有機層１４と、第２電極１５とを有している。これらの有機ＥＬ素子１０の第２電極１５上には、保護膜１６、封止用樹脂層１７、ブラックマトリクス層（ブラックマトリクス層１８Ａ）およびカラーフィルタ層１９を間にして封止用基板２０が設けられている。ブラックマトリクス層１８Ａは、上記第１の実施の形態のブラックマトリクス層１８と同様の材料からなり、画素１０Ｒ，１０Ｇ，１０Ｂのそれぞれに対向して開口Ｈ１ａを有すると共に、全体として格子状を成すように形成されている。
【００４９】
但し、本実施の形態では、上記第１実施の形態と異なり、ブラックマトリクス層１８Ａの開口Ｈ１ａが傾斜面を有していない。本実施の形態では、各有機ＥＬ素子１０（各画素１０Ｒ，１０Ｇ，１０Ｂ）が、更に複数の発光領域（発光開口）を含んでいる（複数の発光領域を分割されている）。これらの複数の発光領域の形成パターンは、画素１０Ｒ，１０Ｇ，１０Ｂの出射対象の波長（Ｒ，Ｇ，Ｂ）に応じた周期性を有している。ここでは、開口Ｈ２内において、第１電極１２Ａ〜１２Ｃがそれぞれ細分化されており、その形成パターンに応じて複数の発光領域が形成されている。
【００５０】
図１０に、第１電極１２Ａ〜１２Ｃの平面構成について模式的に示す。このように、第１電極１２Ａ，１２Ｂ，１２Ｃはそれぞれ、ドット状に配置された（離散配置された）複数のサブ電極（サブ電極１２ａ１，１２ｂ１，１２ｃ１）からなる。第１電極１２Ａは画素１０Ｂに、第１電極１２Ｂは画素１０Ｇに、第１電極１２Ｃは、画素１０Ｒに、それぞれ配置されている。第１電極１２Ａ〜１２Ｃの構成材料としては、上記第１の実施の形態の第１電極１２と同様の材料を用いることができる。第１電極１２Ａでは、複数のサブ電極１２ａ１が、等間隔（ピッチｄ１）で離散配置されている。第１電極１２Ｂでは、複数のサブ電極１２ｂ１が、等間隔（ピッチｄ２）で離散配置されている。第１電極１２Ｃでは、複数のサブ電極１２ｃ１が、等間隔（ピッチｄ３）で離散配置されている。サブ電極１２ａ１，１２ｂ１，１２ｃ１の各面形状は、例えば円形状であるが、他の形状（例えば方形状や多角形状など）であってもよい。
【００５１】
これらの第１電極１２Ａ，１２Ｂ，１２Ｃのそれぞれにおいて、サブ電極１２ａ１，１２ｂ１，１２ｃ１は、互いに異なる周期性をもって配置されている。具体的には、サブ電極１２ａ１，１２ｂ１，１２ｃ１のピッチｄ１，ｄ２，ｄ３が、より短波長を出射対象とする画素において、より小さくなるように設計されている。詳細には、ピッチｄ１，ｄ２，ｄ３が、出射対象の波長と線形に変化するように設計されている。本実施の形態のように、Ｒ，Ｇ，Ｂの３画素構成の場合には、青色光が最も短波長であり、緑色光、赤色光の順に波長が長くなることから、画素１０Ｂの第１電極１２Ａにおけるサブ電極１２ａ１のピッチｄ１が最も小さくなっている。画素１０Ｇの第１電極１２Ｂにおけるサブ電極１２ｂ１のピッチｄ２がピッチｄ１よりも大きく、画素１０Ｒの第１電極１２Ｃにおけるサブ電極１２ｃ１のピッチｄ３が、ピッチｄ２よりも大きくなるように、設計されている。つまり、サブ電極１２ａ１，１２ｂ１，１２ｃ１の各ピッチｄ１，ｄ２，ｄ３が、ｄ１≦ｄ２≦ｄ３の関係を満たす周期性をもってそれぞれ配置されている。一例としては、青色フィルタ層１９Ｂの透過率ピークが約４５０ｎｍ、緑色フィルタ層１９Ｇの透過率ピークが約５３０ｎｍ、赤色フィルタ層１９Ｒの透過率ピークが約６００ｎｍであることから、おおよそ、ｄ１：ｄ２：ｄ３＝１:１．１８：１．３３となるように設計することができる。なお、各サブ電極１２ａ１，１２ｂ１，１２ｃ１の個々のサイズ（面積）が互いに異なるのは、画素１０Ｒ，１０Ｇ，１０Ｂのそれぞれにおいて同程度の開口率（開口面積）を確保するためである。
【００５２】
本実施の形態の有機電界発光装置２では、上記第１の実施の形態と同様に、画像表示がなされる。また、強い外光に照らされた状況下では、虹状の色つきが見えることがあるが、本実施の形態では、各画素が複数の発光領域に分割され、これら複数の発光領域の形成パターンが、画素１０Ｒ，１０Ｇ，１０Ｂの出射対象の波長（Ｒ，Ｇ，Ｂ）に応じた周期性を有する。具体的には、第１電極１２Ａ〜１２Ｃのサブ電極１２ａ１〜１２ｃ１のピッチｄ１，ｄ２，ｄ３がｄ１≦ｄ２≦ｄ３の関係を満たすように配置されている。
【００５３】
図１１は、本実施の形態の比較例（比較例２）に係る第１電極（第１電極１２Ｄ）の平面構成を表したものである。このように、比較例２では、画素１０Ｒ，１０Ｇ，１０Ｂのそれぞれに配置された第１電極１２Ｄが、いずれも同じ周期性をもって配置された複数のサブ電極１２ｄ１からなる。各第１電極１２Ｄでは、サブ電極１２ｄ１が等間隔で（ピッチｄで）配置されている。
【００５４】
図１２に、この比較例２の第１電極１２Ｄを含むパネルの中央部に向けて光（断面形状が円形の白色光）を照射したシミュレーション結果を示す。また、図１３には、実施例２として、本実施の形態の第１電極１２Ａ〜１２Ｃを含むパネルの中央部に向けて、上記と同様の白色光を照射したシミュレーション結果を示す。図１２では、虹状の色つきが見えるのに対し、図１３では、図１２において見えていた色が消えて、白黒あるいはグレーの色になっており、虹状の色付きが軽減されていることがわかる。
【００５５】
このように、本実施の形態では、各画素の発光領域の形成パターンが波長に応じた周期性を持つことで、虹状の色つきが目立たなくなる。よって、上記第１の実施の形態と同等の効果を得ることができる。
【００５６】
＜変形例１＞
図１４は、上記第１および第２の実施の形態の変形例（変形例１）に係る有機ＥＬ素子（有機ＥＬ素子１０Ａ）を説明するためのものである。図１４の（Ａ）は、比較例（比較例３）に係る素子構造（上記第１の実施の形態の有機ＥＬ素子１０に対応する構造）を示し、右図は、左図における第１電極１２の平面形状を示している。図１４の（Ｂ）は、有機ＥＬ素子１０Ａの構成を示し、右図は、左図における第１電極（第１電極１２Ｄ）の平面構成を示している。有機ＥＬ素子１０Ａは、第１電極１２Ｄの構成が、上記第１の実施の形態の有機ＥＬ素子１０と異なっており、その他の構成は上記有機ＥＬ素子１０と同様である。なお、第１電極１２Ｄは画素毎に形成されており、第１電極１２Ｄの構成材料は上記第１の実施の形態の第１電極１２と同様である。
【００５７】
本変形例では、第１電極１２Ｄの大きさ（サイズ）が、画素間絶縁膜１３の開口Ｈ２の大きさと同等以下である。この第１電極１２Ｄの大きさは、第１電極１２と比較すると、一回り小さく設計され、例えば製造マージン（位置合わせの自由度）を考慮した幅をカットしたものである。第１電極１２Ｄの一方向における幅ｄ５は、第１電極１２の幅ｄ４よりも小さく設計される。
【００５８】
このように、第１電極１２Ｄの大きさを、開口Ｈ２と同等あるいはそれよりも小さく設計することにより、外光反射率を軽減することができる。ここで、第１電極１２Ｄは、反射率の高い材料により構成されることから、可視光の反射率が非常に高い。このため、発光に関与しない部分、即ち画素間絶縁膜１３の開口Ｈ２から露出しない部分では、できるだけ電極パターンが形成されないことが望ましい。本変形例のように、第１電極１２Ｄの大きさを開口Ｈ２と同等以下に設計することにより、第１電極１２Ｄを発光開口に応じた最小限の大きさで形成することができ、外光反射に寄与する部分を極力減らすことができる。
【００５９】
図１５に、比較例３の第１電極１２を用いた素子構造における反射率と、実施例３として本変形の第１電極１２Ｄを用いた素子構造における反射率（規格化反射率）とを示す。このように、実施例３では、比較例３に比べ、反射絶対量を約３０％も削減することができる。従って、本変形の有機ＥＬ素子１０Ａの構造を、上記第１および第２の実施の形態の有機電界発光装置に採用することで、外光反射に起因する虹状の色つきを抑えつつ、外光反射率（反射量）を減らすことができ、より良好な視認性を保つことができる。
【００６０】
＜変形例２＞
図１６は、上記第１および第２の実施の形態の変形例（変形例２）に係る有機ＥＬ素子（有機ＥＬ素子１０Ｂ）の構成を表したものである。本変形例の有機ＥＬ素子１０Ｂは、絶縁膜１３Ａの開口（開口Ｈ２ａ）の側面（発光開口の横）にリフレクタ構造（いわゆるアノードリフレクタ）を有している。絶縁膜１３Ａは、上記第１の実施の形態の画素間絶縁膜１３に相当するものである。本変形例では、第１電極１２Ｅが、上記第２の実施の形態と同様、離散配置された（ドット状の）複数のサブ電極１２ｅ１からなる。また、絶縁膜１３Ａが、各画素の発光開口としての開口Ｈ２ａ内に、断面形状において複数の凸部１３ａ１を有している。換言すると、絶縁膜１３Ａは、開口Ｈ２ａ内に、複数のサブ開口Ｈ２ａ１を有しており、サブ開口Ｈ２ａ１はサブ電極１２ｅ１に対向して設けられている。これらの各サブ開口Ｈ２ａ１において有機層１４が露出し、第２電極１５と接触している。これらの複数の凸部１３ａ１の形状に倣って、保護膜１６が形成されている。なお、第１電極１２Ｅは画素毎に形成されており、第１電極１２Ｅの構成材料は上記第１の実施の形態の第１電極１２と同様である。
【００６１】
このように、有機ＥＬ素子１０Ｂは、いわゆるアノードリフレクタを有していてもよい。これにより、図１７に示したように、有機層１４から発光した光を効率的に取り出すことができる。即ち、外部量子効率を向上させることができる。例えば図１８に示したように、リフレクタ構造を有さない素子構造（比較例４）に比べ、本変形例の素子構造（実施例４）では、外部量子効率を約２．５倍に改善することができる。加えて、凸部１３ａ１により発光開口がドット状に細分化されることから、上記第２の実施の形態と同様に、外光反射による虹状の色付きについても抑制することが可能である。具体的には、例えば、サブ電極１２ｅ１の配列ピッチを画素の出射対象の波長に応じて設計することで、本変形例においても、発光領域の形成パターンの周期性を画素毎に変更することができる。また、本変形の有機ＥＬ素子１０Ｂの構造を、上記第１および第２の実施の形態の有機電界発光装置に採用することで、外光反射に起因する虹状の色つきを抑えつつ、外部量子効率を高めることができ、より良好な視認性を保つことができる。
【００６２】
＜変形例３＞
図１９は、上記第１および第２の実施の形態の変形例（変形例３）に係る有機電界発光装置の構成を表したものである。上記変形例２では、画素内の発光領域を細分化してリフレクタ構造を形成したが、本変形例のように、画素間絶縁膜１３Ｂにおいて、１つの発光開口（開口Ｈ２ｂ）の側面にリフレクタ構造を形成したものであってもよい。本変形例では、例えば上記第１の実施の形態のブラックマトリクス層１８を備えている。
【００６３】
このように、１つの開口Ｈ２ｂの側面にリフレクタ構造を有していてもよく、この場合であっても、上記変形例２と同様、外部量子効率を高めることができる。また、上記第１の実施の形態と同様、ブラックマトリクス層１８の開口Ｈ１に所定の傾斜面を有することにより、虹状の色つきを見えにくくすることができる。よって、上記第１の実施の形態と同等の効果を得つつ、更に外部量子効率を高めることができる。
【００６４】
図２０に、実施例５として、上記のようなブラックマトリクス層１８とリフレクタ構造とを有するパネルの中央部に向けて光（断面形状が円形の白色光）を照射したシミュレーション結果を示す。十字状の外光反射が視認されるものの、色付きは非常に小さい。また、上記第１の実施の形態の約２．５倍の外部量子効率を達成することが出来る。
【００６５】
＜変形例４＞
図２１Ａおよび図２１Ｂは、上記第１および第２の実施の形態の変形例（変形例３）に係る第１電極の構成を説明するための平面図である。図２１Ａには、比較例（比較例６）として、一般的な矩形状の面形状を有する第１電極（上記第１の実施の形態の第１電極１２に対応する電極）の構成を示す。図２１Ｂには、本変形例の第１電極１２Ｆの構成を示す。なお、第１電極１２Ｆは画素毎に形成されるものであり、第１電極１２Ｄの構成材料は上記第１の実施の形態の第１電極１２と同様である。また、「矩形状」は、厳密な矩形に限定されるものではなく、略矩形であればよい。例えば、製造プロセスに起因して角部分が鈍っているものなども含み、矩形状の辺あるいは角の部分に丸みを有していてもよい。
【００６６】
図２１Ｂに示したように、第１電極１２Ｆの面形状を円形状としてもよい。第１電極１２Ｆの径は、例えば画素サイズ５０μｍに対して３５μｍ程度とすることができる。このような円形状により反射方向が分散され、虹状の色つきが目立たなくなる。従って、上記第１の実施の形態と同等の効果を得ることができる。また、このように、第１電極１２Ｆを円形状とする場合、画素間絶縁膜１３の開口Ｈ２の開口形状も円形状であることが望ましい。さらに、第１電極１２Ｆの大きさが開口Ｈ２と同等以下であることが望ましい。上記変形例１と同等の効果を得ることができるからである。
【００６７】
図２２に、比較例６の矩形状の第１電極１２を含むパネルの中央部に向けて光（断面形状が円形の白色光）を照射したシミュレーション結果を示す。また、図２３には、実施例６として、本変形例の円形状の第１電極１２Ｆを含むパネルの中央部に向けて、上記と同様の白色光を照射したシミュレーション結果を示す。図２２では、十字状に色つきが見えるのに対し、図２３では、外光反射が十字方向に偏らず、色付きが目立たないことがわかる。
【００６８】
＜変形例５＞
図２４は、上記第１および第２の実施の形態の変形例（変形例５）に係る有機ＥＬ素子（有機ＥＬ素子１０Ｃ）の断面構成を表したものである。上記変形例２のアノードリフレクタ構造を有する有機ＥＬ素子では、第１電極１２Ｅをドット状に細分化したが、本変形例のように、不透明樹脂層１３Ｃを用いることによっても、ほぼ同等の効果を得ることができる。具体的には、有機ＥＬ素子１０Ｃは、１つの第１電極１２に対応する開口Ｈ２ａ内に、複数の凸部１３ａ１を含む不透明樹脂層１３Ｃを有している。この不透明樹脂層１３Ｃを覆うように第２電極１５が設けられている。本変形例のように不透明樹脂層１３Ｃを用いて発光開口をドット状に細分化してもよい。
【００６９】
＜変形例６＞
図２５は、上記第１および第２の実施の形態の変形例（変形例５）に係る素子構造を説明するための模式図である。本変形例のように、画素間絶縁膜１３の開口Ｈ２の面形状が円形状で、第１電極１２の面形状が矩形状であってもよい。この際、画素間絶縁膜１３は不透明樹脂により構成されていることが望ましい。
【００７０】
なお、上述の実施の形態および変形例では、封止用基板２０の側から順に、カラーフィルタ層１９と、ブラックマトリクス層１８（あるいは１８Ａ）とが積層された構成を図示したが、図２６に示したように、ＢＭ／ＣＦ層１８Ｂとして、ブラックマトリクス層の開口Ｈ１内に赤色フィルタ層１９Ｒ、緑色フィルタ層１９Ｇあるいは青色フィルタ層１９Ｂが形成されていてもよい。
【００７１】
＜適用例＞
以下、上記実施の形態等で説明した有機電界発光装置の適用例について説明する。上記実施の形態の有機電界発光装置は、テレビジョン装置，デジタルカメラ，ノート型パーソナルコンピュータ、携帯電話等の携帯端末装置あるいはビデオカメラなど、外部から入力された映像信号あるいは内部で生成した映像信号を、画像あるいは映像として表示するあらゆる分野の電子機器の表示装置に適用することが可能である。特に、モバイル向けの中小型ディスプレイに好適である。以下にその一例を示す。
【００７２】
図２７Ａおよび図２７Ｂは、スマートフォン２２０の外観を表したものである。このスマートフォン２２０は、例えば、表側に表示部２２１および操作部２２２を有し、裏側にカメラ２２３を有しており、表示部２２１に上記実施の形態等の有機電界発光装置が搭載されている。
【００７３】
図２８は、タブレットパーソナルコンピュータ２４０の外観を表したものである。このタブレットパーソナルコンピュータ２４０は、例えば、タッチパネル部２４１および筐体２４２を有しており、タッチパネル部２４１に上記実施の形態等の有機電界発光装置が搭載されている。
【００７４】
図２９Ａおよび図２９Ｂは、携帯電話機２９０の外観を表したものである。この携帯電話機２９０は、例えば、上側筐体２９１と下側筐体２９２とを連結部（ヒンジ部）２９３で連結したものであり、ディスプレイ２９４，サブディスプレイ２９５，ピクチャーライト２９６およびカメラ２９７を有している。ディスプレイ２９４またはサブディスプレイ２９５が上記実施の形態等の有機電界発光装置により構成されている。
【００７５】
以上、実施の形態および実施例を挙げて本開示を説明したが、本開示は上記実施の形態および実施例に限定されるものではなく、種々変形が可能である。例えば、上記実施の形態等では、１つのピクセルがＲ，Ｇ，Ｂの３つのサブピクセルにより構成される場合を例示したが、本開示の画素構成はこれに限定されるものではない。例えば、１ピクセルを、Ｒ，Ｇ，Ｂ，Ｗ（白）の４画素構成としてもよいし、Ｒ，Ｇ，Ｂ，Ｙ（黄）の４画素構成としてもよい。これらの場合、４画素のうちのＲ，Ｇ，Ｂの３画素において、上述したような波長に応じた設計変更（ブラックマトリクス層の傾斜面あるいは発光領域の周期性など）を行えば視認性を向上を図ることができる。あるいは、Ｗ画素（Ｙ画素も同様）における上記設計変更を行う場合には、例えばＧ画素と同様の設計を行ってもよい。
【００７６】
また、上記実施の形態等では、有機電界発光素子から発せられた白色光を、カラーフィルタを用いて色分離することが可能な素子構造を例示したが、本開示は、カラーフィルタを用いない素子構造にも適用可能である。
【００７７】
さらに、上記実施の形態等では、トップエミッション方式の有機電界発光装置を例示したが、本開示は、ボトムエミッション方式（下面発光型）のものにも適用可能である。
【００７８】
加えて、上記実施の形態および実施例において説明した各層の材料および厚み、または成膜方法および成膜条件などは限定されるものではなく、他の材料および厚みとしてもよく、または他の成膜方法および成膜条件としてもよい。
【００７９】
また、上記実施の形態では、アクティブマトリクス型の表示装置の場合について説明したが、本開示はパッシブマトリクス型の表示装置への適用も可能である。更にまた、アクティブマトリクス駆動のための画素駆動回路の構成は、上記実施の形態で説明したものに限られず、必要に応じて容量素子やトランジスタを追加してもよい。その場合、画素駆動回路の変更に応じて、上述した信号線駆動回路１２０や走査線駆動回路１３０のほかに、必要な駆動回路を追加してもよい。また、上記実施の形態で説明した効果は一例であり、他の効果であってもよいし、更に他の効果を含んでいてもよい。
【００８０】
なお、本開示は、以下のような構成であってもよい。
（１）
それぞれが、光反射性を有する第１電極の上に、有機電界発光層を含む有機層と、第２電極とをこの順に有すると共に、互いに異なる２以上の波長のいずれかを出射対象とする複数の画素と、
前記第２電極の光出射側に設けられ、前記画素毎に第１開口を有するブラックマトリクス層と
を備え、
前記ブラックマトリクス層は前記第１開口の内側に傾斜面を有し、
前記傾斜面の傾斜角度は、前記画素の出射対象の波長に応じて設定されている
有機電界発光装置。
（２）
前記傾斜面の傾斜角度は、より短波長を出射対象とする画素においてより大きくなるように設定されている
上記（１）に記載の有機電界発光装置。
（３）
前記第１電極における反射率分布が、前記画素の出射対象の波長に応じて設定されている
上記（１）または（２）に記載の有機電界発光装置。
（４）
前記複数の画素は、第１基板と第２基板間に封止され、前記第２基板との間に樹脂層を有し、
前記樹脂層における透過率分布が、前記画素の出射対象の波長に応じて設定されている
上記（１）〜（３）のいずれかに記載の有機電界発光装置。
（５）
それぞれが、前記ブラックマトリクス層の複数の第１開口のうちの選択的な第１開口に対応して形成された１または複数のカラーフィルタを更に備え、
前記カラーフィルタにおける透過率分布が、前記画素の出射対象の波長に応じて設定されている
上記（１）〜（４）のいずれかに記載の有機電界発光装置。
（６）
前記複数の画素のうち、より短波長を出射対象とする画素において、反射強度分布の画素端における強度変化がより緩やかになるように設定されている
上記（１）〜（５）のいずれかに記載の有機電界発光装置。
（７）
前記第１電極は前記画素毎に形成されており、
複数の前記第１電極のそれぞれに対向して第２開口を有する絶縁膜を更に備え、
前記第１電極の大きさは、前記第２開口の大きさと同等以下である
上記（１）〜（６）のいずれかに記載の有機電界発光装置。
（８）
前記第１電極は前記画素毎に形成されており、
複数の前記第１電極のそれぞれに対向して第２開口を有する絶縁膜を更に備え、
前記第２開口の側面にリフレクタ構造を有する
上記（１）〜（７）のいずれかに記載の有機電界発光装置。
（９）
各第１電極は、離散配置された複数のサブ電極からなる
上記（８）に記載の有機電界発光装置。
（１０）
前記第１電極は前記画素毎に形成されており、
各第１電極の面形状は円形状である
上記（１）〜（９）のいずれかに記載の有機電界発光装置。
（１１）
前記複数の画素は、赤色光、緑色光および青色光のいずれかを出射対象とする画素を含む
上記（１）〜（１０）のいずれかに記載の有機電界発光装置。
（１２）
前記複数の画素は、更に白色光を出射対象とする画素を含む
上記（１１）に記載の有機電界発光装置。
（１３）
それぞれが、光反射性を有する第１電極の上に、有機電界発光層を含む有機層と、第２電極とをこの順に有すると共に、互いに異なる２以上の波長のいずれかを出射対象とする複数の画素を備え、
前記複数の画素はそれぞれ、複数の発光領域に分割され、
前記複数の発光領域の形成パターンは、前記画素の出射対象の波長に応じた周期性を有する
有機電界発光装置。
（１４）
前記第１電極は前記画素毎に形成されており、
各第１電極は、離散配置された複数のサブ電極からなり、
前記画素毎に、前記複数のサブ電極の形成パターンに応じて前記複数の発光領域が形成されている
上記（１３）に記載の有機電界発光装置。
（１５）
前記複数のサブ電極の配列ピッチは、より短波長を出射対象とする画素において、より小さくなるように設定されている
上記（１４）に記載の有機電界発光装置。
（１６）
前記第１電極は前記画素毎に形成されており、
複数の前記第１電極のそれぞれに対向して第２開口を有する絶縁膜を更に備え、
前記第１電極の大きさは、前記第２開口の大きさと同等以下である
上記（１３）〜（１５）のいずれかに記載の有機電界発光装置。
（１７）
前記第１電極は前記画素毎に形成されており、
複数の前記第１電極のそれぞれに対向して第２開口を有する絶縁膜を更に備え、
前記第２開口の側面にリフレクタ構造を有する
上記（１３）〜（１５）のいずれかに記載の有機電界発光装置。
（１８）
それぞれが、光反射性を有すると共に画素毎に形成される第１電極の上に、有機電界発光層を含む有機層と、第２電極とをこの順に有すると共に、互いに異なる２以上の波長のいずれかを出射対象とする複数の画素を備え、
前記第１電極の面形状は円形状である
有機電界発光装置。
（１９）
複数の前記第１電極のそれぞれに対向して第２開口を有する絶縁膜を更に備え、
前記第２開口の開口形状が円形状である
上記（１８）に記載の有機電界発光装置。
（２０）
それぞれが、光反射性を有する第１電極の上に、有機電界発光層を含む有機層と、第２電極とをこの順に有すると共に、互いに異なる２以上の波長のいずれかを出射対象とする複数の画素と、
前記第２電極の光出射側に設けられ、前記画素毎に第１開口を有するブラックマトリクス層と
を備え、
前記ブラックマトリクス層は前記第１開口の内側に傾斜面を有し、
前記傾斜面の傾斜角度は、前記画素の出射対象の波長に応じて設定されている
有機電界発光装置を備えた電子機器。
【符号の説明】
【００８１】
１，２…有機電界発光装置、１０Ｒ，１０Ｇ，１０Ｂ…画素、１０，１０Ａ〜１０Ｃ…有機ＥＬ素子、１１…駆動基板、１２，１２Ａ〜１２Ｆ…第１電極、１２ａ１，１２ｂ１，１２ｃ１，１２ｄ１，１２ｅ１…サブ電極、１３，１３Ｂ…画素間絶縁膜、１３Ａ…絶縁膜、１４…有機層、１５…第２電極、１６…保護膜、１７…封止用樹脂層、１８，１８Ａ…ブラックマトリクス層、１８Ｂ…ＢＭ／ＣＦ層、１９…カラーフィルタ層、２０…封止用基板、Ｈ１，Ｈ２，Ｈ１ａ，Ｈ２ａ…開口、Ｈ２ａ１…サブ開口、Ｓ１〜Ｓ３…傾斜面。
【図１】
2015144087.tif 000003
【図２】
2015144087.tif 000004
【図３】
2015144087.tif 000005
【図４】
2015144087.tif 000006
【図５】
2015144087.tif 000007
【図６】
2015144087.tif 000008
【図７】
2015144087.tif 000009
【図８】
2015144087.tif 000010
【図９】
2015144087.tif 000011
【図１０】
2015144087.tif 000012
【図１１】
2015144087.tif 000013
【図１２】
2015144087.tif 000014
【図１３】
2015144087.tif 000015
【図１４】
2015144087.tif 000016
【図１５】
2015144087.tif 000017
【図１６】
2015144087.tif 000018
【図１７】
2015144087.tif 000019
【図１８】
2015144087.tif 000020
【図１９】
2015144087.tif 000021
【図２０】
2015144087.tif 000022
【図２１Ａ】
2015144087.tif 000023
【図２１Ｂ】
2015144087.tif 000024
【図２２】
2015144087.tif 000025
【図２３】
2015144087.tif 000026
【図２４】
2015144087.tif 000027
【図２５】
2015144087.tif 000028
【図２６】
2015144087.tif 000029
【図２７Ａ】
2015144087.tif 000030
【図２７Ｂ】
2015144087.tif 000031
【図２８】
2015144087.tif 000032
【図２９Ａ】
2015144087.tif 000033
【図２９Ｂ】
2015144087.tif 000034